(57)【要約】【課題】入手が困難になっている天然素材を用いて、十分な印面の面積を有する印材を提供する。【解決手段】印材１３は、本体１５と中核部材１６とを備える。本体１５の先端には中央孔１７が基端方向に向けて形成され、この中央孔１７に中核部材１６が納められて着脱不能に固定されている。本体１５と中核部材１６との両者の先端面は、面一に形成され、この先端面は、本体１５き中核部材１６との間に実質的に隙間がなく、本体１５と中核部材１６との区別なく彫刻できる一つの印面１４を形成する。本体１５と中核部材１６とは別素材であってもよいが、同一種類の天然素材で形成することが好ましい。特に好ましくは水牛の角であり、中核部材１６は芯１２の断面積は、中央孔１７を形成するために排除した排除部位１８における芯１２の断面積よりも小さく設定することが好ましい。【選択図】図１
0003171099.tif 000002
【実用新案登録請求の範囲】
【請求項１】
本体と、中核部材とを備え、
前記本体の先端には中央孔が基端方向に向けて形成され、
前記中核部材は、前記中央孔に納められて着脱不能に固定され、
前記本体と前記中核部材との先端面が面一に形成され、
前記先端面は、前記本体と前記中核部材との間に実質的に隙間がなく、前記本体と前記中核部材との区別なく彫刻できる一つの印面を形成したことを特徴とする印材。
【請求項２】
前記本体と前記中核部材とが、同一種類の天然素材で形成されたものであり、前記中央孔及び前記中核部材は共に基端に向かうに従って径が小さくなるものであり、且つ、前記中央孔及び前記中核部材が接着剤で固定されていることを特徴とする請求項１記載の印材。
【請求項３】
前記本体は水牛の角の基端側の部分から形成されたものであり、前記中核部材は水牛の角の先端側の部分から形成されたものであり、
前記本体に前記中央孔を形成するために取り除かれた排除部位は、前記角の芯を含むものであり、前記中核部材は芯を含むものであり、前記中核部材の先端面での面積は前記排除部材の芯の先端面での面積よりも小さいことを特徴とする請求項１記載の印材。
【請求項４】
印面に彫刻が施された印鑑において、請求項３に記載の印材の印面に前記彫刻が施されたものであり、前記彫刻が前記本体と前記中核部材との双方に施されたものであることを特徴とする印鑑。
【考案の詳細な説明】
【技術分野】
【０００１】
本願発明は、印材、及びこの印材から作成された印鑑に関するものである。
【背景技術】
【０００２】
従来より、印材には、象牙や水牛の角、あるいはタグア材やつげ材等の木材などの天然素材が多用されてきた。ところが、印材として良好な天然素材の入手が年々困難になっている。例えば、水牛の角にあっては、角の中心に芯がある。この芯は、角の伸びる方向に伸びており、基端から先端に向かうに従って漸次断面積が小さくなっている。この芯が大きいと、印面に施す彫刻が困難となるため、その面積が小さいほど高級な印材とされれ、実印や銀行印用に好んで用いられる。ところが、太い印鑑を作るには、角の基端寄りの部分を用いなければ十分な太さを得ることができない。そのため、従来は基端寄りの部分にあっても小さな断面積の芯を有すもののみが、高級印材として用いられることになる。しかしながら、入手できる水牛の角の絶対量が減少している今日、良質な高級印材となり得る水牛の角を入手することは、より一層困難となっているのが現状である。
【０００３】
先行技術文献１は、水牛の角などの天然素材の質感や高級感を有しながら、シミや疵のある材料を用いて、希少な印材を合理的に使用することができる支持部材付き印鑑の提供を目的とするもので、天然素材製印材の基端部に、金属材、プラスチック材等の人工素材製の支持部材を装着し、一定長さの印鑑を構成することを提案している。ところが、この印材は、寸法の短い天然素材製印材の長さを人工素材製の支持部材でカバーするだけのものであり、印面は単一の天然素材製印材のみで構成されるているに止まる。そのため、印面の大きさは依然として単一の天然素材の大きさに依存していることは勿論、前述の芯の大きさの問題を解決するものではない。
【先行技術文献】
【特許文献】
【０００４】
【特許文献１】登録実用新案第３１２４６１５号公報
【考案の概要】
【考案が解決しようとする課題】
【０００５】
本願考案は、限られた素材を用いて、印鑑として十分な印面の面積を有する印材を提供することができるようにすることを課題とする。
特に、入手が困難になっている天然素材を用いて、十分な印面の面積を有する印材を提供することができるようにすることを課題とする。
さらに具体的には、水牛の角を用いて、従来廃棄していた角の先端寄り部分を有効活用することによって、印材の印面に表れる芯の面積が小さな印材を提供することを目的とする。
【課題を解決するための手段】
【０００６】
本願考案は、本体と、中核部材とを備え、前記本体の先端には中央孔が基端方向に形成され、前記中核部材は、前記中央孔に納められて着脱不能に固定され、前記本体と前記中核部材との先端面が面一に形成され、前記先端面は、前記本体と前記中核部材との間に実質的に隙間がなく、前記本体と前記中核部材との区別なく彫刻できる一つの印面を形成したことを特徴とする印材を提供する。
前記本体と前記中核部材とが、同一種類の天然素材で形成されたものであり、前記中央孔及び前記中核部材は共に基端に向かうに従って径が小さくなるものであり、且つ、前記中央孔及び前記中核部材が接着剤で固定されているものとして実施することができる。特に、前記本体は水牛の角の基端側の部分から形成されたものであり、前記中核部材は水牛の角の先端側の部分から形成されたものであり、前記本体に前記中央孔を形成するために取り除かれた排除部位は、前記角の芯を含むものであり、前記中核部材は芯を含むものであり、前記中核部材の断面積は前記排除部材の芯の断面積よりも小さいことを特徴とするものとして実施し得る。
また、印面に彫刻が施された印鑑において、前記水牛の角の印材の印面に前記彫刻が施されたものであり、前記彫刻が前記本体と前記中核部材との双方に施されたものであることを特徴とする印鑑を提供する。
【考案の効果】
【０００７】
本願考案は、限られた素材を用いて、印鑑として十分な印面の面積を有する印材を提供することができる印材の構造を提供することができたものである。
本願考案を天然素材製の印材に適用することにより、天然素材を有効活用して、十分な印面の面積を有する印材を提供することができたものであり、特に、水牛の角を用いて、従来廃棄していた角の先端寄り部分を有効活用することによって、印材の印面に表れる芯の面積が小さな印材、並びに、これによる印鑑を提供することができたものである。
【図面の簡単な説明】
【０００８】
【図１】（Ａ）は角の内部構造の説明図、（Ｂ）は他の角の内部構造の説明図、（Ｃ）は本体と中核部材の内部構造の説明図、（Ｄ）は本願考案の実施の形態に係る印材の内部構造の説明図、（Ｅ）は同印材印面の平面図である。
【考案を実施するための形態】
【０００９】
以下、図面に基づき本願考案の実施の形態を説明する。まず、印材１３の原材料について説明すると、本願考案では、合成樹脂や金属などの人工素材をも用いることができるが、入手が困難になっている天然素材（象牙や水牛の角などの動物の骨角やタグア材やつげ材等の木材）に特に適する。この実施の形態では、水牛の角１１を例に説明する。
【００１０】
（本体１５の作成）
この角１１は中央に芯１２を有するもので、芯１２は角１１の基端側から先端側に向けて徐々に細くなりながら伸びている。天然素材の角１１は全て一様ではなく、角１１の全体の大きさや芯１２についても一つ一つの角１１で相違する。多数の角１１について１本若しくは複数本の本体１５を作成する。本体１５は、角１１の主として基端側から切削により形成する。本体１５の大きさや形は自由であるが、通常の円柱形状の印鑑の形に形成する。
【００１１】
（中央孔１７の作成）
次に、これらの切削した本体１５を選別する。本体１５の印面となる先端面を観察して、図１（Ｂ）のように、芯１２の面積が小さいものについては、そのまま、印材として使用する。図１（Ａ）のように、大きな芯１２が表れているもののみを、本願考案の本体１５として用いる。この本体１５の先端に、中央孔１７を切削より形成する。中央孔１７の切削形成により除かれた排除部位１８には、断面積の大きな芯１２が存在したことになる。この中央孔１７は、円筒状や円錐台状の凹部として、先端面から基端方向に形成すればよい。排除部位１８を除去した本体１５の厚みａは、１〜５mmが適当であり、最も好ましくは１．２〜２．１mmである。厚みａが薄く過ぎると強度不足により破損が生ずるおそれがある。他方、厚みが大きすぎると、相対的に中央孔１７が小さくなりすぎて、芯１２が本体１５に残ってしまうおそれがある。本体１５の径は、通常の印材と同様、１０〜１８mm程度とすればよい。
【００１２】
（中核部材１６の作成）
角１１の先端側から、１個又は複数個の中核部材１６を切削により形成する。中核部材１６の先端の形状は、前述の中央孔１７の先端の形状と同一で同じ大きさとする。この中核部材１６にも芯１２が含まれるが、角１１の先端であるために一般に小さく、また、前述のように、本体１５の選別段階で、十分に小さな芯１２を取った角１１からも、中核部材１６を作成できる、芯１２には十分に小さな面積を有するものを比較的簡単に集めることができる。この説明から理解されるように、本体１５と中核部材１６とは必ずしも同一の角１１から作成する必要はなく、多数の本体１５と中核部材１６とを多数の角１１から形成し、これらを適宜選択して組合せればよい。望ましくは、中央孔１７及び中核部材１６は共に基端に向かうに従って径が小さくなるものとして実施する。これにより、本体１５の厚みａを薄くした場合にも、全体の強度を維持することができる。なお、両者１７、１６は、断面が円形のものとして実施することが加工上の点からは有利であるが、断面多角形などの他の形状として実施することもできる。中核部材１６と中央孔１７とは少なくとも先端面で隙間なく合致すればよいため、中央孔１７の奥（底）では空洞が残ってもよい。
【００１３】
（本体１５と中核部材１６との一体化）
本体１５の先端の中央孔１７に、中核部材１６を嵌め合わせる。嵌め合わせに際しては、両者の間に接着剤を塗布して、接着する。接着剤としては、エポキシ系接着剤が好適に用いられるが、使用する原材料の種類に応じて、最適な接着性能を示すものを用いればよい。また、１液性とするか２液性の接着剤とするかも、素材との関係や製造時間のとの関係で最適なものを選択することができる。
【００１４】
（印面１４の仕上げ）
上記のように形成された印材１３の先端面（即ち印面１４）は、本体１５と中核部材１６との間に実質的に隙間がなく、印面１４を面一になるように研削する。中央孔１７及び中核部材１６は同一の軸方向長さをもったものとして実施して、嵌め合わせた状態で略面一とし、仕上げに印面１４全体を面一に研削することもできるが、中央孔１７及び中核部材１６とが異なる軸方向長さをもったものとして、どちらか一方が他方によりも突出しているように嵌め合わせた後、突出した方を主として研削して、印面１４全体を面一に研削することもできる。以上によって、本体１５と中核部材１６と先端面が印面１４として全く区別することなく印鑑の彫刻に用いることができるものであり、中核部材１６の先端面のみならず本体１５の先端面も印鑑の彫刻が可能となる。なお、印面１４の仕上げは常法によればよく、鏡面仕上げでもよく、粗面に仕上げてもよい。
【００１５】
（完成された印材１３）
以上によって完成された印材１３は、本体１５と中核部材１６とを備える。本体１５の先端には中央孔１７が基端方向に向けて形成され、この中央孔１７に中核部材１６が納められて着脱不能に固定されている。本体１５と中核部材１６との両者の先端面は、面一に形成され、この先端面は、本体１５き中核部材１６との間に実質的に隙間がなく、本体１５と中核部材１６との区別なく彫刻できる一つの印面１４を形成する。本体１５と中核部材１６とは別素材であってもよいが、同一種類の天然素材で形成することが好ましい。特に好ましくは水牛の角であり、中核部材１６は芯１２の面積は、中央孔１７を形成するために排除した排除部位１８における芯１２の面積よりも小さく設定することが好ましい。図１（Ｅ）に、二点鎖線で排除部位１８における芯１２を示す。同図の実線で示した１２は、中核部材１６の芯を示すもので、上記の２点鎖線示した排除部位１８の芯１２よりも充分に小さいものとなる。そして、この印面１４に印鑑の彫刻を施して、印鑑が完成する。
【符号の説明】
【００１６】
１１  角
１２  芯
１３  印材
１４  印面
１５  本体
１６  中核部材
１７  中央孔
１８  排除部位
【図１】
0003171099.tif 000003